(57)【要約】【課題】調整池の施工を、簡単化、迅速化、低コスト化できるようにすると共に、調整池を、例えば駐車場等として安心して有効に活用できるよう構成した治水システムを提供する。【解決手段】地面を窪めて作る調整池１と、この調整池１に溜まった水を河川２に排水するための排水部３とを備えて形成する。上記の調整池１を、ヒューム管１ａを横置きして作る。そして、この調整池１の上面を塞いで地面状に施工する。この場合、本考案は、地面を流れる水を調整池１に導く溝４を、調整池１を囲繞して設けるのが良い。【選択図】      図１
0003215231.tif 000002
【実用新案登録請求の範囲】
【請求項１】
地面を窪めて作られる調整池と、この調整池に溜まった水を河川に排水するための排水部とを備えて形成されている治水システムであって、上記の調整池がヒューム管を横置きして作られ、この調整池の上面が塞がれて地面状に施工されていることを特徴とする治水システム。
【請求項２】
請求項１記載の治水システムであって、地面を流れる水を調整池に導く溝が、調整池を囲繞して設けられていることを特徴とする治水システム。
【請求項３】
請求項２記載の治水システムであって、ヒューム管が直列状に複数接続されると共に並列されて調整池が方形に作られ、先頭のヒューム管の水流入口に対応する、調整池の一辺に沿った溝に、他の三辺に沿った溝から水が導かれるよう、他の三辺に沿った溝の溝底が、一辺に沿った溝に向かって下り傾斜状に形成されていることを特徴とする治水システム。
【考案の詳細な説明】
【技術分野】
【０００１】
本考案は、治水システムに関し、更に詳しくは豪雨の際の雨水を一時的に蓄え、河川の氾濫による下流地域の水害を防止できるよう構成した治水システムに関するものである。
【背景技術】
【０００２】
従来、この種のシステムとしては、例えば特許文献１に記載されているものがある。
【０００３】
特許文献１に記載の従来技術は、河川につながる水路に調整池を設け、水路に設けた流量制御弁と、調整池に設けた流入排出弁を、河川及び調整池に設けた水位計の測定値に基づいて制御し、水路及び河川の流量を調整するよう構成しているものである。
【０００４】
ところで、調整池は豪雨の際の水を一時的に溜めて水害を防止するためのものである。従来、この調整池を人工的に構築する場合は、一般的に、先ず地面を掘削し、次に掘削した穴の周囲や底等に型枠を設けて鉄筋を組み、その後、コンクリートを打設して行うことが多い。
従って、特許文献１に記載の従来技術によると、調整池の施工に手間暇やコストがかかる、という問題点があった。
【０００５】
また都市周辺地域において、調整池の設けられている場所は、自由に使える数少ない土地であることが多い。そのため、この種の地域における調整池は、普段は水を溜めず、例えば公園や駐車場などに使用されることがある。
【０００６】
而して、調整池は、周辺から水が流れ込み易くなるよう、また溜められた水が河川に流れ出易くなるよう、池の底が地面や危険水量の川面より低く施工されるのが通例である。
【０００７】
従って、従来、調整池を駐車場等として日常的に使用すると、急な豪雨で、例えば車両が水没し、被害が発生することがあった。
そのため、従来、都市部における調整池は、通常、柵などで囲われ、有効に活用されていないケースが少なくなかった。
【先行技術文献】
【特許文献】
【０００８】
【特許文献１】特開平１１−２５６６６６号公報
【考案の概要】
【考案が解決しようとする課題】
【０００９】
本考案は、このような従来の実情に鑑み、提案されたものである。
従って、本考案の解決しようとする技術的課題は、調整池の施工を、簡単化、迅速化、低コスト化できるようにすると共に、調整池を、例えば駐車場等として安心して有効に活用できるよう構成した治水システムを提供することにある。
【課題を解決するための手段】
【００１０】
本考案は、上記の課題を解決するため、次のような技術的手段を採る。
即ち、本考案は、図１等に示されるように、地面を窪めて作られる調整池１と、この調整池１に溜まった水を河川２に排水するための排水部３とを備えて形成されている治水システムであって、上記の調整池１がヒューム管１ａを横置きして作られ、この調整池１の上面が塞がれて地面状に施工されていることを特徴とする（請求項１）。
【００１１】
ここで、調整池１の上面が塞がれて地面状に形成されている、とは、調整池１の上面を、駐車場やグラウンド、或いは農地などとして使用できるよう形成されている、ということを意味する。従って、調整池１の上面は、用途に合わせて整地され、土７のまま施工されているのでも、或いはアスファルト等で舗装されているのでも良い。なお、排水部３は、通常、排水口８を開閉する水門３ａや、弁、或いは排水ポンプ等を備えて構成される。
【００１２】
また本考案は、地面を流れる水を調整池１に導く溝４が、調整池１を囲繞して設けられているのが好ましい（請求項２）。
【００１３】
なぜなら、これによると、調整池１の周辺の地面を流れる水を、調整池１に導いて集め易くなるからである。
【００１４】
また本考案は、ヒューム管１ａが直列状に複数接続されると共に並列されて調整池１が方形に作られ、先頭のヒューム管１ａの水流入口に対応する、調整池１の一辺に沿った溝４ａに、他の三辺に沿った溝４ｂから水が導かれるよう、他の三辺に沿った溝４ｂの溝底が、一辺に沿った溝４ａに向かって下り傾斜状に形成されているのが好ましい（請求項３）。
【００１５】
なぜなら、これによると、調整池１を効率良く大規模化でき、また調整池１の周辺の地面を流れる水を、調整池１に円滑、迅速に導いて貯水できるからである。
【考案の効果】
【００１６】
本考案は、このように調整池がヒューム管を横置きして形成されている。
従って、本考案の場合は、調整池を、簡単、迅速に施工できるから、これによれば、調整池の施工にかかる手間暇を軽減でき、ひいては施工コストを低廉化できる。
【００１７】
また本考案は、調整池の上面が塞がれて地面状に形成されている。
従って、これによれば、調整池の場所を、例えばグラウンド等として有効に活用できる。
またこの場合、本考案は、調整池の上面の高さを、河川の危険水量の水面より高く施工することが容易になるから、これによれば、車両の水没事故等を心配することなく、安心して駐車場等として利用することができる。
【図面の簡単な説明】
【００１８】
【図１】本考案の治水システムの好適な一実施形態を示す断面図である。
【図２】同上システムの平面図である。
【図３】同上システムの排水部側から見た側面図である。
【図４】同上システムの他の実施形態を示す構成図である。
【考案を実施するための形態】
【００１９】
以下、本考案の好適な一実施形態を、添付図面に従って説明する。
本考案は、図１等に示されるように、地面を窪めて作られる調整池１と、この調整池１に溜まった水を河川２に排水するための排水部３とを備えて形成されている。
【００２０】
上記の調整池１は、ヒューム管１ａを横置きして作られている。ヒューム管１ａは、管そのものが構造体として成立する剛性管であり、外圧に対する強度が高いのが特徴である。従って、この実施形態では掘削してコンクリ―ト１ｂを打設し、水平に整地した窪地に、ヒューム管１ａを横置きすることで、調整池１が作られている。
【００２１】
またこの場合、ヒューム管１ａは、直列状に複数接続されると共に、並列されて施工されている。ヒューム管１ａの接続は、ヒューム管１ａの管端が受け口と差し口からなっているため、シール材を用いて接合する。従って、この実施形態では調整池１が、方形に施工されている。
【００２２】
４は、地面を流れる水を調整池１に導く溝である。この溝４は、調整池１の周辺の地面を流れる水を、調整池１に効率良く、確実に集めることができるよう、調整池１を囲繞して設けられている。また溝４は、ごみが入り込むのを防止し、掃除の手間暇を軽減できるよう、上面にグレーチング５が設けられている。
【００２３】
そして、この実施形態の本考案は、先頭のヒューム管１ａの水流入口に対応する、調整池１の一辺に沿った溝４ａに、他の三辺に沿った溝４ｂから水を導くことができるよう、他の三辺に沿った溝４ｂの溝底が、一辺に沿った溝４ａに向かって下り傾斜状に形成されている。
【００２４】
またヒューム管１ａは、水流入口の側が高い状態で傾斜状に配置されている。  従って、水は、一辺に沿った溝４ａからヒューム管１ａに入り、ヒューム管１ａの接続方向に沿って流れ、溜められる。
【００２５】
また本考案の場合、調整池１の上面は塞がれて地面状に形成されている。この実施形態では、プレート６（図１参照）を介してヒューム管１ａの上に土７が盛られて整地されている。これにより、調整池１は、その上面を、例えば駐車場やグラウンド、或いは農地等として利用できるものである。
【００２６】
また排水部３は、この実施形態では排水口８を開閉する水門３ａを備えて形成されている。水門３ａは、この実施形態では手動により昇降し、排水口８を開閉するよう構成されている。
なお、排水口８は、図２等に示されるように、この実施形態ではヒューム管１ａの出口側の管端に対応する溝４ｂの長手方向の中央に設けられている。
【００２７】
次に、本考案の作用を説明する。
本考案の場合、豪雨の際の雨水は、調整池１の周りの地面を伝わって、先ず溝４に流入する。この場合、三辺に沿った溝４ｂの溝底は、一辺に沿った溝４ａに向かって下り傾斜状に形成されているから、三辺に沿った溝４ｂに流入した水は、一辺に沿った溝４ａに流れ込む。
【００２８】
そして、一辺に沿った溝４ａに流れ込んだ水は、この一辺に沿った溝４ａに管端が臨まれている、先頭のヒューム管１ａの水流入口から、各ヒューム管１ａに流れ込んで溜められる。従って、豪雨の際に地面を伝わり流れる水は、調整池１で一時的に溜め置かれることになる。
【００２９】
なお、調整池１の放流は、排水部３の水門３ａを引き上げることで行われる。水門３ａが引き上げられると、ヒューム管１ａに蓄えられている水が、出口側の管端から排水口８を介して流れ出て、河川２に放流される。これにより、河川２の水位調節や、放流量の調節が可能になり、河川２の氾濫が抑えられ、下流地域の水害を防止できる。
【００３０】
以上の処において、上記の排水部３は、図４に示されるように、モータ等の駆動装置９で水門３ａを昇降させるよう形成されているのでも良い。この場合は、調整池１の水位を検出するセンサー１０と、このセンサー１０からの信号を受けて水位が設定値に至ると、上記の駆動装置９に駆動信号を出力するコントローラ１１とを備えて形成されているのが良い。
【符号の説明】
【００３１】
１      調整池
１ａ    ヒューム管
２      河川
３      排水部
【図１】
0003215231.tif 000003
【図２】
0003215231.tif 000004
【図３】
0003215231.tif 000005
【図４】
0003215231.tif 000006